(57)【要約】【課題】  リールシートの取付け部位に工夫を凝らすことによって、十分な傾斜を得ることのできる釣り竿を提供する。【解決手段】  手元側竿体１にスペーサ６を外嵌するとともに、リール脚Ｒｂを載置支持するシートベース２Ａをスペーサ６に外嵌する。スペーサ６を手元側竿体１に外嵌する為の貫通孔６Ａをスペーサ６の両端部に亘って形成するとともに、貫通孔６Ａの軸線Ｘをスペーサ６の軸線Ｙに対して傾斜する状態に構成してある。【選択図】        図１
2008017794.tif 000002
【特許請求の範囲】
【請求項１】
竿体にスペーサを外嵌するとともに、リール脚を載置支持するシートベースを前記スペーサに外嵌し、前記スペーサを前記竿体に外嵌する為の貫通孔を前記スペーサの両端部に亘って形成するとともに、前記貫通孔の軸線を前記スペーサの軸線に対して傾斜する状態に構成してある釣り竿。
【請求項２】
前記貫通孔の軸線を前記スペーサの軸線に対して交差する状態に構成してある請求項１記載の釣り竿。
【発明の詳細な説明】
【技術分野】
【０００１】
本発明は、リールシートを備えている釣り竿に関する。
【背景技術】
【０００２】
リールシートにおいて、リール脚を載置する面は、竿の軸線に平行な面に形成されていた（特許文献１参照）。
【０００３】
【特許文献１】実登第２５６０５１３号（段落番号〔００１３〕、及び、図１、図２）
【発明の開示】
【発明が解決しようとする課題】
【０００４】
リール脚を載置する面は、竿の軸線に平行な面に形成されているので、リールから繰出される糸が竿の軸線に平行な状態で繰出されることとなる。そうすると、糸が釣糸ガイドを通過する際の抵抗が大きくなり過ぎるので、実際には、スピニングリール自体の構造において、リールシートに載置する脚部の載置面に対してロータの回転軸芯を近づく方向に傾斜する方法を採ったり、脚部の載置面にスペーサ等を噛ませて傾斜姿勢を確保する方法を採っていた。
しかし、スピニングリール自体の構造において、リールシートに載置する脚部の載置面に対してロータの回転軸芯を近づく方向に傾斜する方法を採るだけでは、まだ、十分な傾斜を得ることができない場合があり、スピニングリール自体の構造だけで対処することには限界があった。また、脚部の載置面にスペーサ等を噛ませて傾斜姿勢を確保する方法においては、手間が掛かり、傾斜角度を調整する負担が大きなものとなっていた。
【０００５】
本発明の目的は、リールシートの取付け部位に工夫を凝らすことによって、十分な傾斜を得ることのできる釣り竿を提供する点にある。
【課題を解決するための手段】
【０００６】
〔構成〕
請求項１に係る発明の特徴構成は、竿体にスペーサを外嵌するとともに、リール脚を載置支持するシートベースを前記スペーサに外嵌し、前記スペーサを前記竿体に外嵌する為の貫通孔を前記スペーサの両端部に亘って形成するとともに、前記貫通孔の軸線を前記スペーサの軸線に対して傾斜する状態に構成してある点にあり、その作用効果は次の通りである。
【０００７】
〔作用〕
竿体とリールシートとの間にスペーサを介在させる方法を導入する。そして、このスペーサにおける竿体が貫通する孔を、その貫通孔の軸線が前記スペーサの軸線に対して傾斜する状態に構成する。このニ点によって、スペーサが竿体に対して傾斜する状態で取付られることとなり、スペーサに取付られるリールシートも傾斜する状態で取付けられることになる。
このような構成によって、リールシートに取り付けられたリールも傾斜姿勢になるので、リールから繰出される釣り糸は釣り糸ガイドを抵抗少なく通過することができる。
【０００８】
〔効果〕
スペーサを導入することによって、他の機器に改変を加えることなく、リールの傾斜姿勢を確保できる。
しかも、管理釣り場でヤマメ等を釣上げる際に使用されるロッドで、全体に調子が柔らかく曲がり易いロッドに適用する場合には、却って、リールから繰出される釣り糸をロッドから離れる方向となるように、リールの傾斜姿勢をロッドから離れる方向に傾斜させることが適当な場合がある。
このような場合であっても、スペーサを異なるものと取り換える必要はなく、スペーサを竿体に外嵌固定する際に、反転させて取り付けることによって、異なる傾斜姿勢を得ることができる。
したがって、異なる傾斜姿勢を得るために、傾斜角度毎にスペーサを設ける必要はない。
【０００９】
請求項２に係る発明の特徴構成は、請求項１に係る発明において、前記貫通孔の軸線を前記スペーサの軸線に対して交差する状態に構成してある点にあり、その作用効果は次の通りである。
【００１０】
〔作用効果〕
貫通孔の軸線を前記スペーサの軸線に対して交差する状態に構成することによって、交差しない状態に比べて、貫通孔をスペーサの必要な長さの中で十分大きな傾斜角を得ることができる。
【発明を実施するための最良の形態】
【００１１】
〔第１実施形態〕
ルアーロッドＡについて説明する。図１に示すように、手元側竿体１にスピニングリールＲを装着するリールシート２を設けるとともに、リールシート２の前後にフロントグリップ３、リアグリップ４を配置して、ルアーロッドＡを構成してある。
【００１２】
リールシート２の構成について説明する。図１及び図２に示すように、手元側竿体１となる竿体は、次ぎのように構成される。炭素繊維等の強化繊維に熱硬化性樹脂を含浸させて構成したプリプレグシートを、所定形状に裁断した後にマンドレルに巻回し、焼成後所定長さに裁断して竿体を構成する。
【００１３】
次に、リールシート２を手元側竿体１の所定位置に取り付ける。図２に示すように、リールシート２は、筒状のものであり、手元側竿体１に後記するスペーサ６を介して外嵌されるシートベース２Ａと、シートベース２Ａに樹脂で一体成形される固定フード２Ｂと、シートベース２Ａの竿尻側に配置された可動フード２Ｃと、可動フード２Ｃを正逆移動させるナット部材２Ｄとで構成してある。ナット部材２Ｄは、シートベース２Ａの竿尻端に形成してある雄ネジ部２Ｅに螺合されている。
【００１４】
図１及び図２に示すように、シートベース２Ａと手元側竿体１との間には、筒状のスペーサ６が介在されている。筒状のスペーサ６は、ＡＢＳ樹脂製の棒状素材に、その棒状素材の両端面で開口する貫通孔６Ａを穿設して、その貫通孔６Ａを手元側竿体１に外嵌して接着剤等で固定してある。
スペーサ６の材料としては、ＡＢＳ樹脂以外に他のエンジニアリング樹脂であるＰＢＴやＰＥＴ、或いは、アルミニュウムやチタン等の軽量金属を使用可能である。
【００１５】
図３（イ）に示すように、スペーサ６は、全長Ｌに亘って一定の外径Ｄを呈しており、前記した貫通孔６Ａを一定の内径ｄで全長Ｌに亘って形成している。但し、貫通孔６Ａの軸線Ｘはスペーサ６自体の軸線Ｙに対して交差する状態に設定してある。
【００１６】
交差角θは、スペーサ６の軸線Ｙに対して貫通孔６Ａの軸線Ｘが、スペーサ６の全長Ｌの二分の一の長さの部位で交差するように、かつ、スペーサ６の両端部において、貫通孔６Ａの開口６ａの中心が、図３（ロ）（ハ）に示すように、スペーサ６の端面の中心に対して偏芯量ｈだけ偏芯する状態に、角度設定されている。
【００１７】
以上のような構成になるスペーサ６を手元側竿体１に外嵌すると、図２に示すように、スペーサ６は手元側竿体１に対して偏芯した状態で装着される。偏芯した状態で装着されたスペーサ６にリールシート２を外嵌固定することによって、図１に示すように、リールシート２に取り付けられるスピニングリールＲは、竿先下がり姿勢で取付られることとなる。
【００１８】
このような構成によって、スピニングリールＲのロータＲａの中心線Ｚは、図示しないガイドに向かうことになり、釣り糸のガイドの通過が円滑になり、仕掛けをより遠くまで投げることができるようになる。尚、スピニングリールＲのロータＲａの中心線Ｚは、リール脚Ｒｂにおけるリール載置面ａに対して竿先側に向けて傾斜する状態に設定されている。したがって、スピニングリールＲのロータＲａの中心線Ｚは、スピニングリールＲ自体の有する脚部Ｒｂに対する傾きと、スペーサ６に形成された貫通孔６Ａの軸線Ｘとスペーサ自体の軸線Ｙに対する傾きとが合わさった傾きをもった傾斜姿勢に設定されていることとなる。
【００１９】
〔第２実施形態〕
ここでは、スペーサ６の取付方法を第１実施形態の状態から１８０°反転させた状態で取り付ける。つまり、第１実施形態においては、スペーサ６の竿先端において貫通孔６Ａの開口６ａが、リールシート２のリール脚取付部側（図面上では下側）に偏芯した状態で、スペーサ６を取り付けていた。
【００２０】
これに対して、この第２実施形態においては、スペーサ６の竿先端において貫通孔６Ａの開口６ａが、リールシート２のリール脚取付部側（図面上では下側）とは反対側（図面上では上側）に偏芯した状態で、スペーサ６を取り付けることにする。
【００２１】
このように、スペーサ６を逆方向に取り付けるのは、管理釣り場でヤマメ等を釣上げる際に使用されるロッドで、全体に調子が柔らかく曲がり易いロッドに適用する場合である。
このようなロッドである場合には、ロッドが曲がり易いところから、魚と遣り取りする際の巻取り斑らが抑制されるのである。
【００２２】
〔別実施形態〕
（１）  スペーサ６の別実施構造について説明する。図示してはいないが、貫通孔６Ａの軸線Ｘをスペーサ６の軸線Ｙに対して傾斜する状態に構成し、両軸線Ｘ、Ｙが交差しない状態に構成してもよい。つまり、スペーサ６の両端面における貫通孔６Ａの開口６ａ、６ａが、スペーサ６の軸芯の同じ側に偏芯させる構成を採ってもよい。
（２）  リールシート２としては、筒状のリールシート以外に板状リールシートをスペーサ６に載置して使用してもよい。この場合には、ルアーロッドではなく、投げ竿等に適用してもよい。
【図面の簡単な説明】
【００２３】
【図１】ルアーロッドの手元側竿体にリールを取り付けた状態を示す側面図
【図２】リールシートとスペーサとの取付状態を示す縦断側面図
【図３】（イ）スペーサを示す縦断側面図、（ロ）（ハ）はスペーサ両端における貫通孔の開口の偏芯状態を示す縦断正面図
【図４】図２に対応する別実施構造を示す縦断側面図
【符号の説明】
【００２４】
１            手元側竿体
２Ａ          シートベース
２Ｃ          可動フード
６            スペーサ
６Ａ          貫通孔
Ｘ            貫通孔の軸線
Ｙ            スペーサの軸線
Ｒｂ          リール脚
【図１】
2008017794.tif 000003
【図２】
2008017794.tif 000004
【図３】
2008017794.tif 000005
【図４】
2008017794.tif 000006